(57)【要約】【課題】電子的に情報が書き込まれた記憶媒体が付設された原稿の画像を読み取る画像読取装置において、原稿に適した処理を確実に効率良く行うことができる画像読取装置を提供する。【解決手段】プラテンガラス１０１ａに沿って移動する走査キャリッジ３５をプラテンガラス１０１ａに載置された原稿に対し走査して、該原稿の画像を読み取るＣＣＤ読取ユニット３と、走査キャリッジ３５に設けられ、原稿に付設されたＲＦＩＤタグから電子的に書き込まれた情報を読み出すＲＦリーダ８と、を備え、ＲＦリーダ８が原稿に付設されたＲＦＩＤタグから読取モード情報を読み出した場合、該読取モード情報が示す読取モードにて、ＣＤＤ読取ユニット３が当該原稿の画像を読み取る画像読取装置１００。【選択図】  図３
2007300524.tif 000002
【特許請求の範囲】
【請求項１】
原稿載置板に沿って移動する走査キャリッジを前記原稿載置板に載置された原稿に対し走査して、該原稿の画像を読み取る読取手段と、
前記走査キャリッジに設けられ、前記原稿に付設された記憶媒体から電子的に書き込まれた情報を読み出す読出手段と、を備え、
前記読出手段が原稿に付設された記憶媒体から読取モード情報を読み出した場合、該読取モード情報が示す読取モードにて、前記読取手段が当該原稿の画像を読み取ることを特徴とする画像読取装置。
【請求項２】
前記読取手段の読取モードを設定する読取モード設定手段を備え、
前記読出手段が原稿に付設された記憶媒体から読取モード情報を読み出した場合、該読取モード情報が示す読取モードを前記読取モード設定手段にて設定された読取モードより優先させて、前記読取手段が当該原稿の画像を読み取ることを特徴とする請求項１に記載の画像読取装置。
【請求項３】
前記読取手段の読取モードを設定する読取モード設定手段を備え、
前記読出手段が原稿に付設された記憶媒体から読み出した読取モード情報が示す読取モードと、前記読取モード設定手段にて設定された読取モードとが矛盾する場合、その旨及び優先する読取モードの選択を促す旨を報知手段にて報知し、選択された読取モードを優先させて前記読取手段が当該原稿の画像を読み取ることを特徴とする請求項１に記載の画像読取装置。
【請求項４】
前記読取手段が原稿の画像を読み取る前に、前記走査キャリッジが前記原稿載置板に沿って移動し、前記読出手段が前記原稿載置板に載置された原稿に付設された記憶媒体から情報を読み出す事前読出を行うことを特徴とする請求項１から３の何れか１項に記載の画像読取装置。
【請求項５】
前記事前読出を行わない事前読出不要を設定する事前読出不要設定手段を備え、
前記事前読出不要設定手段により事前読出不要が設定されている場合において、前記読出手段が原稿に付設された記憶媒体から読取モード情報を読み出した場合、前記読取手段が、前記読取モード情報が示す読取モードにて当該原稿の画像を読み取り直すことを特徴とする請求項４に記載の画像読取装置。
【請求項６】
前記読取手段が前記原稿の画像を読み取り直した場合、その旨を報知手段にて報知することを特徴とする請求項５に記載の画像読取装置。
【請求項７】
前記読出手段が、前記走査キャリッジに主走査方向に間隔を隔て複数設けられることを特徴とする請求項１から６の何れか１項に記載の画像読取装置。
【請求項８】
原稿トレイに載置された原稿を搬送路に沿って搬送する自動原稿搬送手段と、
該自動原稿搬送手段によって搬送される原稿の画像を読み取る読取手段と、
前記自動原稿搬送手段によって搬送される原稿に付設された記憶媒体から電子的に書き込まれた情報を読み出す読出手段と、を備え、
前記読取手段が原稿の画像の読み取りを開始する前に、前記読出手段が当該原稿に付設された記憶媒体から読取モード情報を読み出した場合、該読取モード情報が示す読取モードにて、前記読取手段が当該原稿の画像を読み取ることを特徴とする画像読取装置。
【請求項９】
前記読取手段が原稿の画像の読み取りを開始した後に、前記読出手段が原稿に付設された記憶媒体から読取モード情報を読み出した場合、前記読取手段が当該原稿を読み取り直す旨を報知することを特徴とする請求項８に記載の画像読取装置。
【請求項１０】
前記原稿を前記原稿トレイに載置することを促す旨を報知し、
前記読出手段が、前記読取モード情報が示す読取モードにて前記自動原稿搬送手段により前記原稿トレイから搬送される原稿の画像を読み取り直すことを特徴とする請求項９に記載の画像読取装置。
【請求項１１】
前記読出手段が原稿に付設された記憶媒体から読取禁止情報を読み出した場合、前記読取手段が当該原稿の画像の読み取りを中止することを特徴とする請求項１から１０の何れか１項に記載の画像読取装置。
【請求項１２】
前記読取手段が原稿の画像を読み取って得た画像データの処理を行う画像データ処理手段を備え、
前記読出手段が原稿に付設された記憶媒体から処理設定情報を読み出した場合、該処理設定情報が示す処理設定にて、前記画像データ処理手段が当該原稿の画像データの処理を行うことを特徴とする請求項１から１１の何れか１項に記載の画像読取装置。
【請求項１３】
前記画像データ処理手段が行う処理を設定する処理設定手段を備え、
前記読出手段が原稿に付設された記憶媒体から処理設定情報を読み出した場合、該処理設定情報が示す処理設定を前記処理設定手段にて設定された処理設定より優先させて、前記画像データ処理手段が当該原稿の画像データの処理を行うことを特徴とする請求項１２に記載の画像読取装置。
【請求項１４】
前記画像データ処理手段が行う処理を設定する処理設定手段を備え、
前記読出手段が原稿に付設された記憶媒体から読み出した処理設定情報が示す処理設定と、前記処理設定手段にて設定された処理設定とが矛盾する場合、その旨及び優先する処理設定の選択を促す旨を報知し、選択された処理設定を優先させて、前記画像データ処理手段が当該原稿の画像データの処理を行うことを特徴とする請求項１２に記載の画像読取装置。
【発明の詳細な説明】
【技術分野】
【０００１】
本発明は、画像読取装置、詳しくは原稿に付設された記憶媒体から情報を読み出し、読み出した情報に基づいて原稿の画像を読み取る画像読取装置に関する。
【背景技術】
【０００２】
電子的に各種情報が書き込まれた記憶媒体を原稿に付設することにより、原稿に対する各種処理を記憶媒体から読み出した情報に基づき適正に行うことが可能となる。このような記憶媒体として、無線通信により情報が読み出されるＲＦＩＤ（Radio Frequency-Identification：電波方式認識）タグのＩＣチップを利用することが近年提案されている。
【０００３】
例えば、特許文献１に開示されているスキャナーは、原稿の画像読み取りに先立ちＲＦＩＤタグから情報を読み出している。原稿が複写禁止であることを示す複写禁止情報を読み出した場合には、原稿の画像を読み取って得た画像データを送信する際に、画像データの一部あるいは全部を欠落させる、画像データにノイズを乗せる等、画像データを変更して送信することにより、原稿が複写されることを防止している。
【０００４】
また、特許文献２に開示されている画像形成装置は、原稿に付設されたＲＦＩＤタグから当該原稿に形成された画像の元画像データ及びその属性情報を読み出した場合には、属性情報を反映させた元画像データに基づいて記録用紙に画像を形成している。属性情報には、複写禁止であることを示す情報、解像度を示す情報等が含まれており、複写禁止の原稿が複写されることや、不適正な解像度により原稿の複写物の画像が劣化することを防止している。
【特許文献１】特開２００１−２４８４５号公報
【特許文献２】特開２００５−１９７８３４号公報
【発明の開示】
【発明が解決しようとする課題】
【０００５】
しかしながら、特許文献１に開示されているスキャナーによれば、原稿の画像読み取りに先立って必ず原稿に付設されたＲＦＩＤタグから情報を読み出すプレスキャンを行うので、ＲＦＩＤタグが付設されていない原稿の画像読み取りに時間がかかるという問題があった。また、原稿に付設されたＲＦＩＤタグから複写禁止情報を読み出した場合、当該原稿の画像を全て読み取り、読み取って得た画像データを変更する処理を行う必要があるという問題があった。
【０００６】
また、特許文献２に開示されている画像形成装置によれば、原稿に付設されたＲＦＩＤタグのＩＣチップに元画像データが書き込まれている。そのため、大容量のＩＣチップを備えたＲＦＩＤタグを必要とし、高コストになるという問題があった。
【０００７】
さらに、原稿が詳細な設計図面であるときには当該原稿を高解像度で読み取る必要がある等、原稿に適した読取モードにて画像を読み取ることが必要となる場合がある。このような場合、原稿に適した読取モードにて画像を読み取らなければ読み取りが無駄になるとともに、適した読取モードを設定して画像を読み取り直す必要があるという問題があった。
【０００８】
本発明は、かかる課題に鑑みてなされたものであり、電子的に情報が書き込まれた記憶媒体が付設された原稿の画像を読み取る画像読取装置において、原稿に適した処理を確実に効率良く行うことができる画像読取装置を提供することを目的とする。
【課題を解決するための手段】
【０００９】
上記目的を達成するために、請求項１に記載の画像読取装置は、原稿載置板に沿って移動する走査キャリッジを前記原稿載置板に載置された原稿に対し走査して、該原稿の画像を読み取る読取手段と、前記走査キャリッジに設けられ、前記原稿に付設された記憶媒体から電子的に書き込まれた情報を読み出す読出手段と、を備え、前記読出手段が原稿に付設された記憶媒体から読取モード情報を読み出した場合、該読取モード情報が示す読取モードにて、前記読取手段が当該原稿の画像を読み取ることを特徴としている。
【００１０】
請求項２に記載の画像読取装置は、請求項１に記載の画像読取装置において、前記読取手段の読取モードを設定する読取モード設定手段を備え、前記読出手段が原稿に付設された記憶媒体から読取モード情報を読み出した場合、該読取モード情報が示す読取モードを前記読取モード設定手段にて設定された読取モードより優先させて、前記読取手段が当該原稿の画像を読み取ることを特徴としている。
【００１１】
請求項３に記載の画像読取装置は、請求項１に記載の画像読取装置において、前記読取手段の読取モードを設定する読取モード設定手段を備え、前記読出手段が原稿に付設された記憶媒体から読み出した読取モード情報が示す読取モードと、前記読取モード設定手段にて設定された読取モードとが矛盾する場合、その旨及び優先する読取モードの選択を促す旨を報知手段にて報知し、選択された読取モードを優先させて前記読取手段が当該原稿の画像を読み取ることを特徴としている。
【００１２】
請求項４に記載の画像読取装置は、請求項１から３の何れか１項に記載の画像読取装置において、前記読取手段が原稿の画像を読み取る前に、前記走査キャリッジが前記原稿載置板に沿って移動し、前記読出手段が前記原稿載置板に載置された原稿に付設された記憶媒体から情報を読み出す事前読出を行うことを特徴としている。
【００１３】
請求項５に記載の画像読取装置は、請求項４に記載の画像読取装置において、前記事前読出を行わない事前読出不要を設定する事前読出不要設定手段を備え、前記事前読出不要設定手段により事前読出不要が設定されている場合において、前記読出手段が原稿に付設された記憶媒体から読取モード情報を読み出した場合、前記読取手段が、前記読取モード情報が示す読取モードにて当該原稿の画像を読み取り直すことを特徴としている。
【００１４】
請求項６に記載の画像読取装置は、請求項５に記載の画像読取装置において、前記読取手段が前記原稿の画像を読み取り直した場合、その旨を報知手段にて報知することを特徴としている。
【００１５】
請求項７に記載の画像読取装置は、請求項１から６の何れか１項に記載の画像読取装置において、前記読出手段が、前記走査キャリッジに主走査方向に間隔を隔て複数設けられることを特徴としている。
【００１６】
請求項８に記載の画像読取装置は、原稿トレイに載置された原稿を搬送路に沿って搬送する自動原稿搬送手段と、該自動原稿搬送手段によって搬送される原稿の画像を読み取る読取手段と、前記自動原稿搬送手段によって搬送される原稿に付設された記憶媒体から電子的に書き込まれた情報を読み出す読出手段と、を備え、前記読取手段が原稿の画像の読み取りを開始する前に、前記読出手段が当該原稿に付設された記憶媒体から読取モード情報を読み出した場合、該読取モード情報が示す読取モードにて、前記読取手段が当該原稿の画像を読み取ることを特徴としている。
【００１７】
請求項９に記載の画像読取装置は、請求項８に記載の画像読取装置において、前記読取手段が原稿の画像の読み取りを開始した後に、前記読出手段が原稿に付設された記憶媒体から読取モード情報を読み出した場合、前記読取手段が当該原稿を読み取り直す旨を報知することを特徴としている。
【００１８】
請求項１０に記載の画像読取装置は、請求項９に記載の画像読取装置において、前記原稿を前記原稿トレイに載置することを促す旨を報知し、前記読出手段が、前記読取モード情報が示す読取モードにて前記自動原稿搬送手段により前記原稿トレイから搬送される原稿の画像を読み取り直すことを特徴としている。
【００１９】
請求項１１に記載の画像読取装置は、請求項１から１０の何れか１項に記載の画像読取装置において、前記読出手段が原稿に付設された記憶媒体から読取禁止情報を読み出した場合、前記読取手段が当該原稿の画像の読み取りを中止することを特徴としている。
【００２０】
請求項１２に記載の画像読取装置は、請求項１から１１の何れか１項に記載の画像読取装置において、前記読取手段が原稿の画像を読み取って得た画像データの処理を行う画像データ処理手段を備え、前記読出手段が原稿に付設された記憶媒体から処理設定情報を読み出した場合、該処理設定情報が示す処理設定にて、前記画像データ処理手段が当該原稿の画像データの処理を行うことを特徴としている。
【００２１】
請求項１３に記載の画像読取装置は、請求項１２に記載の画像読取装置において、前記画像データ処理手段が行う処理を設定する処理設定手段を備え、前記読出手段が原稿に付設された記憶媒体から処理設定情報を読み出した場合、該処理設定情報が示す処理設定を前記処理設定手段にて設定された処理設定より優先させて、前記画像データ処理手段が当該原稿の画像データの処理を行うことを特徴としている。
【００２２】
請求項１４に記載の画像読取装置は、請求項１２に記載の画像読取装置において、前記画像データ処理手段が行う処理を設定する処理設定手段を備え、前記読出手段が原稿に付設された記憶媒体から読み出した処理設定情報が示す処理設定と、前記処理設定手段にて設定された処理設定とが矛盾する場合、その旨及び優先する処理設定の選択を促す旨を報知し、選択された処理設定を優先させて、前記画像データ処理手段が当該原稿の画像データの処理を行うことを特徴としている。
【発明の効果】
【００２３】
請求項１に記載の画像読取装置によれば、読出手段が原稿に付設された記憶媒体から読取モード情報を読み出した場合、該読取モード情報が示す読取モードにて読取手段が当該原稿の画像を読み取る。そのため、原稿に付設された記憶媒体に予め書き込まれた読取モード情報が示す読取モードにて原稿の画像を自動的に読み取ることができ、原稿に適切な読取モードにて確実に当該原稿を読み取ることが可能となる。よって、読取モードを正しく設定して原稿の画像を再度読み取る必要が生じることを防ぐことが可能となる。さらに、読出手段が原稿載置板に沿って移動する走査キャリッジに設けられている。従って、原稿載置板に載置された原稿に付設された記憶媒体から情報を読み出すために、読出手段を原稿載置板に沿って移動させる別個独立した構成を必要としないので、装置コストを削減することが可能となる。また、例えば、原稿トレイに載置された原稿に付設された記憶媒体から情報を読み出す場合には、原稿トレイに載置された複数枚の原稿から読取モード情報を混在して読み出すことがあり、個々の原稿をそれぞれに適切な読取モードにて読み取ることができない恐れがあるという問題がある。しかし、本画像読取装置によれば、原稿載置板に載置された原稿から読取モード情報を読み出すので、当該原稿を適切な読取モードにて確実に読み取ることができる。
【００２４】
請求項２に記載の画像読取装置によれば、読出手段が原稿に付設された記憶媒体から読取モード情報を読み出した場合、該読取モード情報が示す読取モードを読取モード設定手段にて設定された読取モードより優先させて、当該原稿の画像を読み取る。そのため、原稿に適さない読取モードが読取モード設定手段にて設定されている場合であっても、原稿に適切な読取モードにて自動的に当該原稿を読み取ることが可能となる。よって、誤って設定された読取モードにて原稿の画像を読み取ることを確実に防ぐことが可能となる。
【００２５】
請求項３に記載の画像読取装置によれば、読出手段が原稿に付設された記憶媒体から読み出した読取モード情報が示す読取モードと、読取モード設定手段にて設定された読取モードとが矛盾する場合、その旨を報知する。そのため、原稿に適さない読取モードが設定されている恐れがあることをユーザに認知させることができ、誤って設定された読取モードにて原稿の画像を読み取ることを防ぐことが可能となる。また、優先する読取モードの選択を促す旨を報知し、選択された読取モードを優先させて原稿の画像を読み取る。そのため、設定された読取モードに対する確認をユーザに求めることが可能となるとともに、ユーザに読取モードの選択を委ねることができ、ユーザの所望する読取モードにて原稿の画像を読み取ることを防ぐことが可能となる。
【００２６】
請求項４に記載の画像読取装置によれば、読取手段が原稿の画像を読み取る前に、走査キャリッジが原稿載置板に沿って移動し、読出手段が原稿載置板に載置された原稿に付設された記憶媒体から情報を読み出す事前読出（タグプレスキャン）を行う。そのため、原稿に付設された記憶媒体に予め書き込まれた読取モード情報が示す読取モードにて原稿の全ての画像を自動的に読み取ることができ、原稿の画像を読み取り直す必要が生じることを確実に防ぐことが可能となる。
【００２７】
請求項５に記載の画像読取装置によれば、事前読出を行わない事前読出不要を設定する事前読出不要設定手段を備える。そのため、原稿に記憶媒体が付設されていない場合等、原稿に付設された記憶媒体から情報を読み出す必要がない場合、事前読出不要を設定することにより、無駄な事前読出を省くことができ、原稿の画像を迅速に読み取ることができる。また、事前読出不要設定手段により事前読出不要が設定されている場合において、読出手段が原稿に付設された記憶媒体から読取モード情報を読み出した場合、読取手段が、読取モード情報が示す読取モードにて当該原稿の画像を読み取り直す。そのため、原稿に付設された記憶媒体から情報を読み出す必要がないとユーザが判断し、事前読出不要を設定した場合であっても、画像読み取り中に原稿に付設された記憶媒体から読取モード情報を読み出した場合には、該読取モード情報が示す読取モードにて当該原稿の画像を自動的に読み取り直す。よって、原稿に適切な読取モードにて確実に当該原稿の画像を読み取ることが可能となる。
【００２８】
請求項６に記載の画像読取装置によれば、原稿の画像を読み取り直した場合、その旨を報知する。そのため、読み出すべき情報が書き込まれた記憶媒体が付設された原稿の画像を読み取ったことをユーザに認知させることができ、ユーザに注意を促すことが可能となる。
【００２９】
請求項７に記載の画像読取装置によれば、走査キャリッジに主走査方向に間隔を隔て複数の読出手段が設けられる。そのため、読出可能距離が短い読出手段によって、原稿載置板に載置された原稿の幅方向のどの位置に付設された記憶媒体からも情報を読み出すことが可能となる。よって、原稿トレイや排紙トレイに載置された原稿等、原稿載置板に載置された原稿以外の原稿に付設された記憶媒体から誤って読出手段が情報を読み出す恐れを防ぐことが可能となる。
【００３０】
請求項８に記載の画像読取装置によれば、原稿トレイに載置された原稿を搬送路に沿って搬送する自動原稿搬送手段（ＡＤＦ）を備え、読取手段が原稿の画像の読み取りを開始する前に、読出手段が当該原稿に付設された記憶媒体から読取モード情報を読み出した場合、該読取モード情報が示す読取モードにて、読取手段が当該原稿の画像を読み取る。そのため、原稿に付設された記憶媒体に予め書き込まれた読取モード情報が示す読取モードにて原稿の画像を自動的に読み取ることができ、原稿に適切な読取モードにて確実に当該原稿を読み取ることが可能となる。よって、読取モードを正しく設定して原稿の画像を再度読み取る必要が生じることを防ぐことが可能となる。さらに、読出手段が自動原稿搬送手段によって搬送される原稿に付設された記憶媒体から情報を読み出す。そのため、読出手段を原稿に沿って移動させる独立した構成を必要としないので、装置コストを削減することが可能となる。また、例えば、原稿トレイに載置された原稿に付設された記憶媒体から情報を読み出す場合には、原稿トレイに載置された複数枚の原稿から読取モード情報を混在して読み出すことがあり、個々の原稿をそれぞれに適切な読取モードにて読み取ることができない恐れがあるという問題がある。しかし、本画像読取装置によれば自動原稿搬送手段によって搬送される原稿から読取モード情報を読み出すので、当該原稿を適切な読取モードにて確実に読み取ることができる。
【００３１】
請求項９に記載の画像読取装置によれば、読取手段が原稿の画像の読み取りを開始した後に、読出手段が原稿に付設された記憶媒体から読取モード情報を読み出した場合、読取手段が当該原稿を読み取り直す旨を報知する。そのため、読取手段が原稿の画像の読み取りを開始した後に、読出手段が原稿に付設された記憶媒体から読取モード情報を読み出した場合であっても、ユーザに原稿を読み取り直すことが必要であることを認知させることにより、適切な読取モードにて原稿の画像を読み取り直すことが可能となる。
【００３２】
請求項１０に記載の画像読取装置によれば、前記原稿を原稿トレイに載置することを促す旨を報知し、読取モード情報が示す読取モードにて自動原稿搬送手段により原稿トレイから搬送される原稿の画像を読み取り直す。そのため、ユーザに画像を読み取り直す必要がある原稿を原稿トレイに載置させることを促すとともに、原稿トレイに載置された原稿の画像を読み取る際に、原稿トレイに載置されるべき原稿に付設された記憶媒体から読み出した読取モード情報が示す読取モードにて原稿の画像を読み取ることができる。よって、適切な読取モードにて原稿の画像を読み取り直すことが可能となる。
【００３３】
請求項１１に記載の画像読取装置によれば、原稿に付設された記憶媒体から読取禁止情報を読み出した場合、当該原稿の画像の読み取りを中止する。そのため、読み取りが禁止された原稿の画像を誤って読み取ることを確実に防ぐことができる。さらに、読出手段が原稿に付設された記憶媒体から読取禁止情報を読み出した場合、読取手段が当該原稿の画像の読み取りを中止し、読み取りを中止するまでに読み取った画像データを廃棄又は消去することとすれば、誤って読み取った原稿の画像データを得ることを確実に防ぐことができる。なお、原稿の画像の読み取りを中止するには、事前読出を行った際に原稿に付された記憶媒体から読取禁止情報を読み出した場合、その後に当該原稿の画像の読み取りを停止することも含まれる。
【００３４】
請求項１２に記載の画像読取装置によれば、原稿に付設された記憶媒体から処理設定情報を読み出した場合、該処理設定情報が示す処理設定にて、画像データ処理手段が当該原稿の画像データの処理を行う。そのため、原稿に付設された記憶媒体に予め書き込まれた処理設定情報が示す処理設定にて原稿の画像データの処理を自動的に行うことができ、原稿に適した処理設定にて確実に当該原稿の画像データの処理を行うことができる。なお、画像データの処理には、画像データに対する各種補正処理、並びに画像データを用いて行う複写処理や送信処理等の各種処理が含まれる。
【００３５】
請求項１３に記載の画像読取装置によれば、原稿に付設された記憶媒体から処理設定情報を読み出した場合、該処理設定情報が示す処理設定を処理設定手段にて設定された処理設定より優先させて、画像データ処理手段が当該原稿の画像データの処理を行う。そのため、原稿に適さない処理設定が処理設定手段にて設定されている場合であっても、原稿に適切な処理設定にて当該原稿の画像データの処理を自動的に行うことが可能となる。よって、誤って設定された処理設定にて原稿の画像データの処理を行うことを確実に防ぐことが可能となる。
【００３６】
請求項１４に記載の画像読取装置によれば、原稿に付設された記憶媒体から読み出した処理設定情報が示す処理設定と、処理設定手段にて設定された処理設定とが矛盾する場合、その旨を報知する。そのため、原稿に適さない処理設定が設定されている恐れがあることをユーザに認知させることができ、誤って設定された処理設定にて原稿の画像データの処理を行うことを防ぐことが可能となる。また、優先する処理設定の選択を促す旨を報知し、選択された処理設定を優先させて原稿の画像データの処理を行う。そのため、設定された処理設定に対する確認をユーザに求めることが可能となるとともに、ユーザに処理設定の選択を委ねることができ、ユーザの所望する処理設定にて原稿の画像データの処理を行うことが可能となる。
【発明を実施するための最良の形態】
【００３７】
以下、本発明の第１の実施の形態に係る画像読取装置を装備するＭＦＰ（Multiple Functional Peripheral：多機能周辺機器）１００について、図面に基づき説明する。ＭＦＰ１００は、図１にそのブロック図を示すように、制御部（ＭＰＵ：Microprocessing Unit）１、ＡＤＦ（Automatic Document Feeder：自動原稿給送装置）２、ＣＣＤ（Charge Coupled Device）読取ユニット３、画像処理部４、コーデック（ＣＯＤＥＣ：Coder and Decoder）５、画像メモリ６、記録部７、ＲＦ（Radio Frequency）リーダ８、操作部９、報知部１０、ＲＯＭ（Read Only Memory）１１、ＲＡＭ（Random Access Memory）１２、モデム１３及びＮＣＵ（Network Control Unit）１４を備えたものであって、各部１乃至１４は、バス１５によって通信可能に接続されている。
【００３８】
このように構成されたＭＦＰ１００は、設定された読取モードにてＣＣＤ読取ユニット３が原稿の画像を読み取る読取機能、ＣＣＤ読取ユニット３が読み取った原稿の画像を設定された複写設定にて記録用紙に記録する複写機能、ＣＣＤ読取ユニット３が読み取った原稿の画像データを設定された送信設定にてＰＳＴＮ（Public Switched Telephone Network）１６を介して外部の装置に送信するファクシミリ送信機能を備えている。制御部１は、ＭＦＰ１００の各部の動作を制御する。
【００３９】
ＡＤＦ２は、ＭＦＰ１００の上部を示す図２を参照するように、原稿トレイ２１に載置（セット）された原稿を１枚ずつ搬送路２２に沿って搬送した後に原稿トレイ２１の下方に位置する排紙トレイ２３へと排出するものであり、ＦＢＳ（Flat Bed Scanner）として機能する原稿載置台１０１に開閉自在に枢支される原稿押えカバー１０２に装備されている。ＡＤＦ２は、原稿トレイ２１の原稿を搬送路２２へ供給する給紙ローラ２４、搬送路２２へ供給された原稿を搬送する搬送ローラ２５、搬送路２２に沿って搬送された原稿を排紙トレイ２３へ排出する排紙ローラ２６等を具備して構成されている。
【００４０】
ＣＣＤ読取ユニット３は、原稿の画像を読み取って画像データを取得するものであり、原稿載置台１０１に内蔵されている。ＣＣＤ読取ユニット３は、設定されている読取モードに適合した画像読み取りを行う。ＣＣＤ読取ユニット３は、原稿へ光を照射する光源３１、原稿からの反射光を所定の方向へ導くための複数の反射ミラー３２、原稿からの反射光を収束する集光レンズ３３、収束光を電気信号に変換して出力するＣＣＤラインセンサ３４等を具備して構成される縮小光学系の読取ユニットであり、原稿載置台１０１の天面に配設されたプラテンガラス１０１ａに対して不図示の駆動機構により水平に往復移動する走査キャリッジ３５に光源３１と一部の反射ミラー３２が配設されている。このように構成されたＣＣＤ読取ユニット３は、ＦＢＳとして原稿の画像を読み取るときには、走査キャリッジ３５がプラテンガラス１０１ａに対して水平に移動しながらプラテンガラス１０１ａに載置された原稿を走査し、該原稿からの反射光をＣＣＤラインセンサ３４へ導いて結像する。また、ＣＣＤ読取ユニット３は、ＡＤＦ２によって搬送される原稿の画像を読み取るときには、走査キャリッジ３５がプラテンガラス１０１ｂの下方において、読取位置Ｐを通過する原稿からの反射光をＣＣＤラインセンサ３４へ導いて結像する。
【００４１】
画像処理部４は、ＣＣＤ読取ユニット３が読み取って得た原稿の画像データに対して画像処理を行う。具体的には、ＣＣＤ読取ユニット３が原稿の画像を読み取って出力した画像データに対して、シェーディング補正、γ補正、拡大／縮小処理（画素データの補間処理又は間引処理）等の画像処理を必要に応じて行う。画像処理部４は、ＣＣＤ読取ユニット３から逐次出力される原稿の画像データに対して、設定されている読取モードに適合した画像処理を逐次行う。
【００４２】
コーデック５は、画像データを符号化（エンコード）・復号（デコード）する。ここでは、画像処理部４で画像処理が行われた原稿の画像データを符号化し、符号化されている画像データを復号する。コーデック５は、設定されている送信モード等の送信設定に適合した符号化・復号を行う。
【００４３】
画像メモリ６は、コーデック５において符号化された画像データ、画像処理部４から直接出力された画像データ、ファクシミリ受信した画像データなどの画像データ等を格納する。記録部７は、画像メモリ６から読み出された画像データの画像を記録用紙に記録する。この記録部７における記録方式としては、例えば、電子写真方式やインクジェット記録方式等の各種の記録方式を用いることができる。記録部７は、画像メモリ６から読み出された画像データに対して、設定されている複写モード等の複写設定に適合した画像を記録用紙に記録する。
【００４４】
ＲＦリーダ８は、ＲＦＩＤ（Radio Frequency-Identification：電波方式認識）タグから無線通信により情報を読み出すものであり、走査キャリッジ３５に配設されている。ＲＦＩＤタグは、図示しないが、超小型のＩＣ（集積回路）チップと、無線通信用のコイル状のアンテナと、から構成されており、ＩＣチップは、記憶部（記憶媒体）、電源整流部、送信部、受信部等を備えている。ＲＦリーダ８が発振した電波をＲＦＩＤタグが受信すると、共振作用によりＲＦＩＤタグ内に起電力が発生し、ＲＦＩＤタグは、発生した起電力により予め記憶部に書き込まれた情報を発信する。ＲＦリーダ８は、このようにしてＲＦＩＤタグから発信された情報を受信することにより、記憶部から情報を読み出す。このようなＲＦＩＤタグが原稿に埋込（漉込）や付着等により付設されており、ＲＦＩＤタグの記憶部には、原稿に付設される際に、当該原稿に関する情報が予め書き込まれる。ＲＦリーダ８が原稿に付設されているＲＦＩＤタグの記憶部から情報を読み出すことにより、当該原稿に関する情報を得ることができる。
【００４５】
ＲＦリーダ８は、ＦＢＳとして原稿の画像をＣＣＤ読取ユニット３が読み取るときには、プラテンガラス１０１ａに載置された原稿のＲＦＩＤタグから、プラテンガラス１０１ａに対して水平に移動する走査キャリッジ３５にて情報を読み出す。また、ＡＤＦ２によって搬送される原稿の画像をＣＣＤ読取ユニット３が読み取るときには、読取位置Ｐを通過する原稿のＲＦＩＤタグから、プラテンガラス１０１ｂの下方にて静止した走査キャリッジ３５にて情報を読み出す。
【００４６】
なお、ＲＦリーダ８は、プラテンガラス１０１ａに載置された原稿又は読取位置Ｐを通過する原稿に付設されているＲＦＩＤタグからのみ情報を読み出すことができ、その通信範囲が原稿トレイ２１や排紙トレイ２３に及ぶことがないように、通信距離が短いものを使用する必要がある。そして、原稿の幅方向のどの位置にＲＦＩＤタグが付設されていたとしても、ＲＦリーダ８により原稿に関する情報を読み出す必要がある。そのため、複数のＲＦリーダ８が、走査キャリッジ３５に原稿の幅方向（主走査方向）に所定間隔を隔てて配設されている。
【００４７】
ここで、ＲＦＩＤタグの記憶部に書き込まれる原稿に関する情報は、当該原稿の画像を読み取るときに必要な情報や画像を読み取って得た画像データの処理を行うときに必要な情報である。このような情報が記憶部に書き込まれたＲＦＩＤタグを原稿に付設することにより、当該原稿の画像を適切に読み取ることや読み取った画像データを用いて所望の各種処理を確実に行うことが可能となる。ＲＦＩＤタグの記憶部に書き込まれた原稿に関する情報には、原稿の取り扱いに関する読取禁止情報や複写禁止情報、原稿の画像読み取りに関する読取設定情報としての読取モード情報、原稿の画像読み取り後の処理に関する処理設定情報としての複写処理情報や送信処理情報等が含まれる。
【００４８】
読取禁止情報は、原稿の画像を読み取ることが禁止されていることを示す情報である。複写禁止情報は、原稿の画像を他の記録用紙に複写することが禁止されていることを示す情報である。
【００４９】
読取モード情報は、原稿の画像を読み取るときに設定すべき読取モードを示す情報である。設定されている読取モードにてＣＣＤ読取ユニット３が原稿の画像を読み取り、ＣＣＤ読取ユニット３から出力された画像データを設定されている読取モードにて画像処理部４が処理を行う。読取モードは、原稿の画像を通常の解像度にて読み取る通常解像度読取モード、原稿の画像を高解像度にて読み取る高解像度読取モード、主に写真が記録された原稿を読み取るための写真原稿読取モード、主に文字が記録された文字原稿を読み取るための文字原稿読取モード、ＰＣ送信用に原稿をグレイスケールにて読み取るグレイスケール読取モード、地模様や地色を消す地色補正の画像処理を行う車検証読取モード等である。ここで、例えば、高解像度読取モードやグレイスケール読取モードにて読み取りを行う場合、ＣＣＤ読取ユニット３による読取間隔を通常の読取モードとは異ならせる等、これらの読取モードに適した読取動作にて読み取りを行うため、ＣＣＤ読取ユニット３が原稿の読み取りを開始する前にこれらの読取モードを予め設定しておく必要がある。また、写真原稿読取モードや車検証読取モードにて読み取りを行う場合、画像処理部４が通常の読取モードと異なる画像データの処理を行い、画像処理部４はＣＣＤ読取ユニット３から逐次出力される画像データに対して処理を行うため、ＣＣＤ読取ユニット３が原稿の読み取りを開始する前にこれらの読取モードを予め設定しておく必要がある。すなわち、読取モード情報は、ＣＣＤ読取ユニット３が原稿の読み取りを開始する前に予め必要とする情報である。
【００５０】
複写処理情報は、原稿の画像を複写すべきことを示す情報、及び複写する際に必要とする複写設定を示す情報である。複写設定を示す情報は、原稿の画像を複写するときに設定すべき複写モード、複写枚数、複写記録用紙サイズ、拡大・縮小、濃度調整等を示す情報である。複写処理情報が示す複写設定に基づいて記録部７が原稿の画像を複写する。具体的には、画像処理部４から画像データを出力して画像メモリ６に一旦格納し、当該画像データにより記録部７が所定の複写設定にて画像を記録用紙に記録し出力する。
【００５１】
送信処理情報は、原稿の画像を読み取って得た画像データを送信すべきことを示す情報、及び送信する際に必要とする送信設定を示す情報である。送信設定を示す情報は、画像データを送信するときに設定すべき送信解像度を設定するための送信モード、送信先、送信レポート作成、符号化方式等を示す情報である。送信処理情報が示す送信設定にてコーデック５が符号化した画像データをＰＳＴＮ１６を介してファクシミリ送信する。具体的には、画像処理部４から画像データを出力して画像メモリ６に一旦格納し、当該画像データをコーデック５にて符号化し画像メモリ６に再度格納する。又は、画像処理部４から出力された画像データをコーデック５にて符号化し画像メモリ６に格納する。そして、符号化された画像データを画像メモリ６からＰＳＴＮ１６を介して所定の送信先である外部装置に送信する。
【００５２】
原稿の画像を複写又は送信する場合、当該原稿の画像を全部読み取って得られ画像メモリ６に格納された画像データを用いることができるため、ＣＣＤ読取ユニット３が原稿の読み取りを開始する前に複写設定や送信設定を必ずしも予め設定しておく必要はない。すなわち、処理設定情報は、ＣＣＤ読取ユニット３が原稿の読み取りを開始する前に予め必要としない情報である。
【００５３】
操作部９は、原稿の読み取り、複写、送信等の開始を指示するためのスタートキー、複写枚数や送信先番号等を入力するためのテンキー、各種設定を入力するためのカーソルキーやボタンキーなど、報知部１０と連動した各種操作キーを備えている。報知部１０は、各種の報知画面やＭＦＰ１００の動作状態などを文字や図形などで表示するＬＣＤ（Liquid Crystal Display：液晶表示装置）１０ａ、音声データの音声やブザー音を鳴動して報知動作を行うスピーカ１０ｂなどを備えている。なお、ＬＣＤ１０ａは、タッチパネル式のものであり、操作部９に代えてこのＬＣＤ１０ａの画面をユーザが指等により触れることにより各種の操作を行うこともできる。
【００５４】
ＲＯＭ１１は、制御部１によりこのＭＦＰ１００の各部の動作が制御されるための各種プログラムを格納している。ＲＡＭ１２は、ＭＦＰ１００の処理動作に用いる読取モード情報、処理設定情報や動作情報等の各種データを読み出し及び書き込み可能な状態で格納している。また、初期設定としての初期読取モードや初期処理情報、ＲＦリーダ８が読み出した原稿に関する情報は、このＲＡＭ１２に格納される。
【００５５】
モデム１３は、ＩＴＵ−Ｔ（国際電気通信連合電気通信標準化部門）の勧告Ｖ．３４規格又はこれと同様のものに従った送受信データの変調及び復調を行う。ＮＣＵ１４は、電話回線を制御して電話をかけたり切ったりする回線網制御装置であり、ＰＳＴＮ１６に接続されている。
【００５６】
上記のように構成されたＭＦＰ１００において、ＦＢＳとして、原稿の画像を読み取るとき、タグプレスキャン（事前読出）が設定されている場合、まず走査キャリッジ３５がプラテンガラス１０１ａに沿って移動し、ＲＦリーダ８により原稿のＲＦＩＤタグの記憶部から情報が読み出される。そして、走査キャリッジ３５が再びプラテンガラス１０１ａに沿って移動し、ＣＣＤラインセンサ３４により原稿の画像が読み取られる。タグプレスキャンは、ＲＦＩＤタグが付設された原稿の画像を読み取ることを前提として設定される。タグプレスキャンが設定されている場合、原稿の画像読み取りに先立ってＲＦＩＤタグの記憶部から当該原稿に関する情報を読み出し、該情報に基づいて原稿に関する各種処理を行う。読取モード情報を読み出した場合には、当該読取モードにて原稿の画像を読み取ることが必要となるため、原稿の画像読み取りに先立って、必ずＲＦリーダ８が配設された走査キャリッジ３５を移動させてプラテンガラス１０１ａに載置された原稿に付設されたＲＦＩＤタグから情報を読み出す。タグプレスキャンはユーザが操作部９から入力することにより設定され、タグプレスキャンを設定する設定情報がＲＡＭ１２に格納される。タグプレスキャンを設定する設定情報がＲＡＭ１２に格納されているか否かに基づき、タグプレスキャンが設定されているか否かを判断する。このように、操作部９とＲＡＭ１２が事前処理不要設定手段として機能する。
【００５７】
一方、ＡＤＦ２を用いて原稿の画像を読み取るとき、原稿トレイ２１に載置された原稿は、まずＡＤＦ２の給紙ローラ２４により搬送路２２へと送り込まれる。搬送路２２へ送り込まれた原稿は、搬送ローラ２５により搬送され、搬送路２２に沿って上方から下方へＵターンするように反転してプラテンガラス１０１ｂの直上にある読取位置Ｐに至り、読取位置Ｐを通過する際にＣＣＤ読取ユニット３により画像が読み取られ、更にＲＦリーダ８により原稿のＲＦＩＤタグの記憶部から情報が読み出される。その後、原稿は、排紙ローラ２６により排紙トレイ２３へ排出される。そのため、ＡＤＦ２を用いる場合、タグプレスキャンを自動的に行うことが構成上不可能であり、タグプレスキャンの設定は無視される。
【００５８】
ところで、このようにして読み取る原稿には、詳細な設計図が画像として記録された原稿など様々な原稿が存在する。そのため、読み取る原稿の画像に適した読み取りを行うために、原稿の読み取り開始前に読取モードの設定が行われる。このＭＦＰ１００において設定可能な読取モードとしては、上記のように、通常像度読取モードや高解像度読取モード等がある。出荷段階等に初期設定された読取モードを示す情報がＲＡＭ１２に格納されており、特に設定されない限り、このＲＡＭ１２に格納された情報がコピーされて、読取モードを示す情報としてＲＡＭ１２に格納される。また、初期設定された読取モードと異なる読取モードにて原稿の画像を読み取ることをユーザが所望する場合、ユーザは操作部９から所望の読取モードを操作入力し、当該読取モードが示す情報を優先させて、ＲＡＭ１２に格納されている初期設定された読取モードを示す情報が更新される。通常、このようにしてＲＡＭ１２に格納されている読取モード（以下、「既存読取モード」という。）情報が示す読取モードにて原稿の画像読み取りが行われる。このように、操作部９とＲＡＭ１２が読取モード設定手段として機能する。
【００５９】
一方、原稿に付設されたＲＦＩＤタグの記憶部からＲＦリーダ８が読取モード情報を読み出した場合、当該読取モード情報が示す読取モードを優先させて原稿の画像読み取りを行うべくＲＡＭ１２に格納されている既存読取モード情報を更新した新たな読取モード（以下、「更新読取モード」という。）情報がＲＡＭ１２に格納される。例えば、ＲＦＩＤタグの記憶部から読み出した情報に高解像度読取モード情報が含まれていた場合には、ＲＡＭ１２に既に格納されている読出解像度に関する読取モード情報としての低解像度読取モード情報より優先させるべく、高解像度読取モード情報を代替させてＲＡＭ１２に読取モード情報として格納する。
【００６０】
また、原稿の画像を読み取って得た画像データに対する処理には、複写や送信など様々な処理が存在し、通常、ユーザが操作部９から入力することにより設定される。ユーザが操作部９から操作入力した処理設定は、ＲＡＭ１２に処理設定情報として格納される。通常、このようにしてＲＡＭ１２に格納されている処理設定（以下、「既存処理設定」という。）情報が示す処理設定にて画像データの処理が行われる。このように、操作部９とＲＡＭ１２が処理設定手段として機能する。
【００６１】
一方、原稿に付設されたＲＦＩＤタグの記憶部からＲＦリーダ８が処理設定情報を読み出した場合、当該処理設定情報が示す処理設定を優先させて画像データの処理を行うべくＲＡＭ１２に格納されている既存処理設定情報を更新した新たな処理設定（以下、「更新処理設定」という。）情報がＲＡＭ１２に格納される。例えば、ＲＦＩＤタグの記憶部から読み出した情報に所定の送信先Ｘにファクシミリ送信する送信処理情報が含まれていた場合には、ＲＡＭ１２に既に格納されている情報に当該送信処理情報が含まれていない場合であっても、当該送信処理情報を優先させるべくＲＡＭ１２に格納されている処理設定情報に付加して格納する。
【００６２】
以下、ＦＢＳとして、プラテンガラス１０１ａに載置された原稿の画像を読み取る場合、ＭＦＰ１００において行われる処理動作について、図３及び図４に示すフローチャートに基づいて説明する。なお、以下のフローチャートに基づいて説明するＭＦＰ１００の処理動作は、ＲＯＭ１１に格納されているプログラムに基づいて制御部１が発行する命令に従って行われる。
【００６３】
まず、プラテンガラス１０１ａに原稿が載置されることにより、ＦＢＳに原稿がセットされる（Ｓ１）。操作部９のスタートキーが押下されたか否か等に基づいて、原稿の読み取り開始命令があったと判断した場合（Ｓ２）、タグプレスキャンが設定されているか否かを判断する（Ｓ３）。タグプレキャンが設定されていると判断した場合（Ｓ３：ＹＥＳ）、走査キャリッジ３５を移動させながら、該走査キャリッジ３５に配設されているＲＦリーダ８により、プラテンガラス１０１ａに載置された原稿からＲＦＩＤタグを検出する（Ｓ４）。ＲＦＩＤタグが検出されなかった場合（Ｓ４：ＮＯ）、既存読取モードにてプラテンガラス１０１ａに載置された原稿の画像を読み取る（Ｓ５）。そして、既存処理設定にて原稿の画像を読み取って得た画像データの処理を行い（Ｓ６）、終了する。
【００６４】
一方、タグプレスキャンが設定されていないと判断した場合（Ｓ３：ＮＯ）、直ちに既存読取モードにて原稿の画像の読み取りを開始する（Ｓ７）。具体的には、走査キャリッジ３５を移動させながらＣＣＤ読取ユニット３により、プラテンガラス１０１ａに載置された原稿の画像を既存読取モードにて読み取る。このとき、走査キャリッジ３５に配設されているＲＦリーダ８を動作させ、プラテンガラス１０１ａに載置された原稿からＲＦＩＤタグを検出する（Ｓ８）。ＲＦＩＤタグが検出されなかった場合（Ｓ８：ＮＯ）、既存処理設定にて原稿の画像を読み取って得た画像データの処理を行い（Ｓ９）、終了する。ＲＦＩＤタグを検出した場合（Ｓ８：ＹＥＳ）、画像の読み取りを中止し、読み取りを中止するまでに原稿の画像を読み取って得た画像データを廃棄又は消去する（Ｓ１０）。
【００６５】
プラテンガラス１０１ａに載置された原稿からＲＦＩＤタグが検出された場合（Ｓ４：ＹＥＳ又はＳ８：ＹＥＳにてＳ１０）、ＲＦリーダ８によりＲＦＩＤタグの記憶部に書き込まれた情報を読み出す（Ｓ１１）。読み出した情報に読取禁止情報が含まれているか否かを判断する（Ｓ１２）。読取禁止情報が含まれていると判断した場合（Ｓ１２：ＹＥＳ）、画像の読み取りを行わずに、原稿が読取禁止である旨を報知し（Ｓ１３）、終了する。具体的には、ＬＣＤ１０ａに「読み取ることが禁止されている原稿が原稿台にセットされています」など、読取の禁止された原稿がプラテンガラス１０１ａに載置されていることを通知するためのメッセージを表示する。また、上記のメッセージと同様の音声メッセージをスピーカ１０ｂから鳴動させてもよい。なお、読み出した情報に複写禁止情報が含まれている場合にも、読取禁止情報が含まれていた場合と同様の処理を行い、原稿が複写禁止である旨を報知する。
【００６６】
読み出した情報に読取禁止情報が含まれていないと判断した場合（Ｓ１２：ＮＯ）、次に、当該読み出した情報に読取モード情報が含まれているか否かを判断する（Ｓ１４）。読取モード情報が含まれていないと判断した場合（Ｓ１４：ＮＯ）、既存読取モードにて、プラテンガラス１０１ａに載置された原稿の画像を読み取る（Ｓ１５）。一方、読取モード情報が含まれていると判断した場合（Ｓ１４：ＹＥＳ）、読み出した読取モード情報が示す読取モードを既存読取モードに優先させた更新読取モードにて、プラテンガラス１０１ａに載置された原稿の画像を読み取る（Ｓ１６）。
【００６７】
そして、読み出した情報に処理設定情報が含まれているか否かを判断する（Ｓ１７）。処理設定情報が含まれていないと判断した場合（Ｓ１７：ＮＯ）、既存処理設定にて、画像データの処理を行い（Ｓ１８）、終了する。一方、処理設定情報が含まれていると判断した場合（Ｓ１７：ＹＳＥ）、読み出した処理設定情報が示す処理設定を既存処理設定に優先させた更新処理設定にて画像データの処理を行い（Ｓ１９）、終了する。
【００６８】
なお、読取禁止情報が含まれていると判断した場合（Ｓ１２：ＹＥＳ又はＳ２７：ＹＥＳ）、原稿が読取禁止である旨を報知し（Ｓ１３又はＳ２８）終了する場合について説明したが、ＲＤＩＤタグの記憶部に書き込まれた情報には原稿が読取禁止であることが示されている旨を報知した上で、原稿の読み取りを行うか否かの選択をユーザに促す報知処理を行ってもよい。このとき、例えば、パスワードの入力等を合わせて求め、権限のある者が操作する場合にのみ、原稿の読み取りを可能とするものであってもよい。また、同様に、読取モード情報が含まれていると判断した場合（Ｓ１４：ＹＥＳ又はＳ２９：ＹＥＳ）、あるいは処理設定情報が含まれていると判断した場合（Ｓ１７：ＹＥＳ又はＳ３４：ＹＥＳ）、これらの情報が示す読取モードや処理設定を優先させるか否かの選択をユーザに促す報知処理を行ってもよい。
【００６９】
また、タグプレスキャンが設定されていないが（Ｓ３：ＮＯ）、ＲＦＩＤタグを検出した場合（Ｓ８：ＹＥＳ）、画像の読み取りを中止し、読み取りを中止するまでに原稿の画像を読み取って得た画像データを廃棄又は消去する（Ｓ１０）場合について説明した。しかし、ＲＦＩＤタグを検出した場合であっても、画像の読み取りを中止せず、原稿の画像を全て読み取って得た画像データを保存しておき、読み出した読取モード情報が示す読取モードが既存読取モードと一致したときには、当該保存した画像データにてその後の処理を行い、一致しないときには、当該保存した画像データを廃棄又は消去して更新読取モードにて原稿の画像を読み取ってもよい。
【００７０】
以下、ＡＤＦ２を用いて、原稿トレイ２１に載置された原稿の画像を読み取る場合、ＭＦＰ１００において行われる処理動作について、図５及び図６に示すフローチャートに基づいて説明する。なお、以下のフローチャートに基づいて説明するＭＦＰ１００の処理動作は、ＲＯＭ１１に格納されているプログラムに基づいて制御部１が発行する命令に従って行われる。
【００７１】
まず、原稿トレイ２１に原稿が載置されることにより、ＡＤＦ２に原稿がセットされる（Ｓ２１）。操作部９のスタートキーが押下されたか否か等に基づいて、原稿の読み取り開始命令があったと判断した場合（Ｓ２２）、直ちに既存読取モードにて原稿の画像の読み取りを開始する（Ｓ２３）。具体的には、ＡＤＦ２にて原稿が搬送され、既存読取モードにて、搬送される原稿の画像を読取位置Ｐにて読み取る。このとき、ＲＦリーダ８を動作させ、読取位置Ｐを搬送される原稿からＲＦＩＤタグを検出する（Ｓ２４）。ＲＦＩＤタグが検出されなかった場合（Ｓ２４：ＮＯ）、既存処理設定にて、原稿の画像を読み取って得た画像データの処理を行い（Ｓ２５）、終了する。
【００７２】
読取位置Ｐを搬送される原稿からＲＦＩＤタグが検出された場合（Ｓ２４：ＹＥＳ）、ＲＦリーダ８によりＲＦＩＤタグの記憶部に書き込まれた情報を読み出す（Ｓ２６）。読み出した情報に読取禁止情報が含まれているか否かを判断する（Ｓ２７）。読取禁止情報が含まれていると判断した場合（Ｓ２７：ＹＥＳ）、原稿が読取禁止である旨を報知し（Ｓ２８）、終了する。具体的には、ＬＣＤ１０ａに「この原稿は読み取りが禁止されています」など、原稿の画像を読み取ることが禁止されていることを通知するためのメッセージを表示する。また、上記のメッセージと同様の音声メッセージをスピーカ１０ｂから鳴動させてもよい。なお、読み出した情報に複写禁止情報が含まれている場合にも、読取禁止情報が含まれていた場合と同様の処理を行い、原稿が複写禁止である旨を報知する。
【００７３】
読み出した情報に読取禁止情報が含まれていないと判断した場合（Ｓ２７：ＮＯ）、次に、当該読み出した情報に読取モード情報が含まれているか否かを判断する（Ｓ２９）。読取モード情報が含まれていないと判断した場合（Ｓ２９：ＮＯ）、既存読取モードにて、読取位置Ｐを搬送される原稿の画像を引き続き読み取る（Ｓ３０）。
【００７４】
一方、読取モード情報が含まれていると判断した場合（Ｓ２９：ＹＳＥ）、画像の読み取りを直ぐに中止し、原稿の画像を読み取って得た画像データを破棄又は消去する（Ｓ３１）。そして、原稿を原稿トレイ２１に再度載置することを促す旨を報知する（Ｓ３２）。具体的には、ＬＣＤ１０ａに「原稿を読み取り直すので、原稿をトレイにセットして下さい」など、原稿の画像を読み取り直す必要があるため、原稿を原稿トレイ２１に載置することを通知するためのメッセージを表示する。また、上記のメッセージと同様の音声メッセージをスピーカ１０ｂから鳴動させてもよい。原稿トレイ２１に載置された原稿をＡＤＦ２にて原稿が搬送され、読み出した読取モード情報が示す読取モードを既存読取モードに優先させた更新読取モードにて、搬送される原稿の画像を読取位置Ｐにて読み取る（Ｓ３３）。
【００７５】
そして、読み出した情報に処理設定情報が含まれているか否かを判断する（Ｓ３４）。処理設定情報が含まれていないと判断した場合（Ｓ３４：ＮＯ）、既存処理設定にて画像データの処理を行う（Ｓ３５）。具体的には、読取モード情報が含まれていないと判断した場合（Ｓ２９：ＮＯ）、既存読取モードにて画像を読み取って得た画像データを既存処理設定にて処理を行い、読取モード情報が含まれている判断した場合（Ｓ２９：ＹＥＳ）、更新読取モードにて画像を読み取って得た画像データを既存処理設定にて処理を行う。そして、これらの処理を行った後、終了する。一方、処理設定情報が含まれていると判断した場合（Ｓ３４：ＹＳＥ）、読み出した処理設定情報が示す処理設定を既存処理設定に優先させた更新処理設定にて画像データの処理を行う（Ｓ３６）。具体的には、読取モード情報が含まれていないと判断した場合（Ｓ２９：ＮＯ）、既存読取モードにて画像を読み取って得た画像データを更新処理設定にて処理を行い、読取モード情報が含まれている判断した場合（Ｓ２９：ＹＥＳ）、更新読取モードにて画像を読み取って得た画像データを更新処理設定にて処理を行う。そして、これらの処理を行った後、終了する。
【００７６】
なお、読取モード情報が含まれていると判断した場合（Ｓ２９：ＹＳＥ）、原稿を原稿トレイ２１に再度載置することを促す旨を報知（Ｓ３２）し、原稿トレイ２１に載置された原稿をＡＤＦ２にて搬送し再度読取位置Ｐにて読み取る（Ｓ３３）場合について説明したが、原稿をプラテンガラス１０１ａに載置することを促す旨を報知し、プラテンガラス１０１ａに載置された原稿をＦＢＳにて読み取ってもよい。
【００７７】
また、読み出した情報に読取モード情報が含まれていると判断した場合（Ｓ２９：ＹＳＥ）、画像の読み取りを直ぐに中止し、原稿の画像を読み取って得た画像データを破棄又は消去する（Ｓ３１）場合について説明した。しかし、読み出した情報に読取モード情報が含まれている場合であっても、画像の読み取りを中止せず、原稿の画像を全て読み取って得た画像データを保存しておき、読み出した読取モード情報が示す読取モードが既存読取モードと一致したときには、当該保存した画像データにてその後の処理を行い、一致しないときには、当該保存した画像データを破棄又は消去してもよい。
【００７８】
以上説明したように、このＭＦＰ１００によれば、ＲＦリーダ８は走査キャリッジ３５にだけ配設されており、ＦＢＳ及びＡＤＦ２の何れにて原稿の画像を読み取る場合であっても、原稿に付設されたＲＦＩＤタグから読み出した情報に基づいて、当該原稿に関する処理を確実に行うことが可能となる。そのため、ＲＦリーダ８を他の部位に配設する必要がないので、装置コストを抑えることが可能となる。
【００７９】
さらに、このＭＦＰ１００によれば、ＲＦリーダ８が原稿に付設されたＲＦＩＤタグから読取禁止情報を読み出した場合、タグプレスキャンが設定されていない場合であっても、当該原稿の画像読み取りを中止し、中止するまでに読み取った画像データを廃棄又は消去する。そのため、読み取りが禁止されている原稿の画像を誤って読み取ることを確実に防ぐことができるとともに、原稿の画像を読み取った画像データを得ることがない。
【００８０】
さらに、このＭＦＰ１００によれば、ＲＦリーダ８が原稿に付設されたＲＦＩＤタグから読取モード情報を読み出した場合、タグプレスキャンが設定されていない場合であっても、該読取モード情報が示す読取モードを優先させた更新読取モードにて当該原稿の画像を再度読み取る。そのため、誤った読取モードにて原稿の画像を読み取ることを確実に防ぐことができ、適切な読取モードにて原稿の画像を読み取ることが可能となる。また、ＦＢＳの場合、更新読取モードにて当該原稿の画像を再度自動的に読み取るので、適切な読取モードにて原稿の画像を確実に読み取ることができ、ユーザが読取モードを正しく設定して原稿の画像を再度読み取らせる手間を省くことができる。また、ＡＤＦ２を用いた場合、自動的に原稿の画像を読み取り直すことができない構成であるが、ユーザに原稿を読み取り直すことが必要であることを認知させることにより、適切な読取モードにて原稿の画像を読み取り直すことが可能となる。具体的には、当該原稿を原稿トレイ２１に載置することをユーザに促し、原稿トレイ２１に載置された原稿の画像を読み取る際に、原稿トレイ２１に載置されるべき原稿に付設されたＲＦＩＤタグから読み出した読取モード情報が示す読取モードにて原稿の画像を読み取るので、適切な読取モードにて原稿の画像を読み取り直すことが可能となる。あるいは、当該原稿をプラテンガラス１０１ａに載置することをユーザに促し、プラテンガラス１０１ａに載置された原稿の画像を読み取る際に、プラテンガラス１０１ａに載置されるべき原稿に付設されたＲＦＩＤタグから読み出した読取モード情報が示す読取モードにて原稿の画像を読み取るので、適切な読取モードにて原稿の画像を読み取り直すことが可能となる。
【００８１】
さらに、このＭＦＰ１００によれば、ＲＦリーダ８が原稿に付設されたＲＦＩＤタグから処理設定情報を読み出した場合、タグプレスキャンが設定されていない場合であっても、該処理設定情報が示す処理設定を優先させた更新処理設定にて読み取った画像データの処理を行う。そのため、誤った処理設定にて画像データの処理を行うことを確実に防ぐことができ、適切な処理設定にて画像データの処理を行うことが可能となる。また、ＦＢＳの場合、更新処理設定にて画像データの処理を自動的に行うので、適切な処理設定にて画像データの処理を確実にを行うことができ、ユーザが処理設定を正しく設定して画像データの処理を再度行う手間を省くことができる。
【００８２】
さらに、このＭＦＰ１００によれば、ＦＢＳとして原稿の画像を読み取るとき、タグプレスキャンを設定することができる。タグプレスキャンを設定することにより、原稿の画像読み取りに先立って原稿に付設されたＲＦＩＤタグから情報を読み出すので、誤った読取モードにて当該原稿の画像を読み取って、読み取り直しが必要となることを防止することができる。一方、タグプレスキャンを設定しないことにより、タグプレスキャンを省き原稿の画像読み取りを直ちに行うことが可能となるので、原稿の画像読み取りに必要な時間を短縮することができる。また、タグプレスキャンを設定しない場合であっても、原稿の画像読み取りに従って移動する走査キャリッジ３５に配設されたＲＦリーダ８を動作させ、ＲＦＩＤタグを検知した場合には、該ＲＦＩＤタグの記憶部から情報を読み出し、読み出した情報に基づいて原稿に関する処理を自動的に行うので、ＲＦＩＤタグを検知し忘れ、誤った読取モードにて当該原稿の画像を読み取ったままとなること等を確実に防止することができる。
【００８３】
以下、本発明の第２の実施の形態に係る画像読取装置を装備するＭＦＰ１００Ａについて、図面に基づき説明する。このＭＦＰ１００Ａは、ＡＤＦ専用機であり、図７にそのブロック図を示すように、前記ＭＦＰ１００と比較すると、ＡＤＦ２Ａ、ＣＣＤ読取ユニット３Ａ及びＲＦリーダ８Ａを、ＡＤＦ２、ＣＣＤ読取ユニット３及びＲＦリーダ８の代わりに備えたものである。
【００８４】
ＡＤＦ２Ａは、ＭＦＰ１００Ａの上部を示す図８を参照するように、原稿トレイ２１に載置された原稿を１枚ずつ搬送路２２に沿って搬送した後に排紙トレイ２３へと排出するものであり、原稿載置台１０１に固定的に装着される原稿押えカバー１０２に装備されている。
【００８５】
ＣＣＤ読取ユニット３Ａは、原稿の画像を読み取って画像データを取得するものであり、走査キャリッジ３５が原稿載置台１０１に固定的に装備されている。ＣＣＤ読取ユニット３Ａは、ＡＤＦ２Ａによって搬送され読取位置Ｐを通過する原稿の画像をの反射光を読み取る。
【００８６】
ＲＦリーダ８Ａは、ＡＤＦ２Ａによって搬送路２２に沿って搬送される原稿のＲＦＩＤタグから無線通信により情報を読み出すものであり、ＡＤＦ２Ａに配設されている。ＲＦリーダ８Ａは、ＣＣＤ読取ユニット３Ａが読取位置Ｐを通過する原稿の画像の読み取りを開始する前に、搬送路２２に沿って搬送される原稿のＲＦＩＤタグから情報を読み出すことができる位置に配設されている。例えば、ＲＦＩＤタグが付設された側を原稿供給口側（図８における左側）として原稿を原稿トレイ２１に載置する、又は同じ情報が書き込まれたＲＦＩＤタグを複数原稿に付設することによって、ＣＣＤ読取ユニット３Ａが原稿の画像の読み取りを開始する前に、ＲＦリーダ８ＡがＲＦＩＤタグから情報を読み出すことができる。
【００８７】
なお、ＲＦリーダ８Ａは、搬送路２２に沿って搬送される原稿に付設されているＲＦＩＤタグからのみ情報を読み出すことができ、その通信範囲が原稿トレイ２１や排紙トレイ２３に及ぶことがないように、通信距離が短いものを使用する必要がある。そして、原稿の幅方向のどの位置にＲＦＩＤタグが付設されていたとしても、ＲＦリーダ８Ａにより原稿に関する情報を読み出す必要がある。そのため、複数のＲＦリーダ８Ａが、原稿の幅方向（主走査方向）に所定間隔を隔てて配設されている。
【００８８】
上記のように構成されたＭＦＰ１００Ａにおいて、原稿の画像を読み取るとき、原稿トレイ２１に載置された原稿は、まずＡＤＦ２Ａの給紙ローラ２４により搬送路２２へと送り込まれる。搬送路２２へ送り込まれた原稿は、搬送ローラ２５により搬送路２２に沿って搬送され、ＲＦリーダ８ＡによりＲＦＩＤタグの記憶部から情報が読み出され、さらに搬送されて読取位置Ｐに至り、読取位置Ｐを通過する際にＣＣＤ読取ユニット３Ａにより画像が読み取られる。その後、原稿は、排紙ローラ２６により排紙トレイ２３へ排出される。
【００８９】
以下、原稿トレイ２１に載置された原稿の画像を読み取る場合、ＭＦＰ１００Ａにおいて行われる処理動作について、図９及び図１０に示すフローチャートに基づいて説明する。なお、以下のフローチャートに基づいて説明するＭＦＰ１００Ａの処理動作は、ＲＯＭ１１に格納されているプログラムに基づいて制御部１が発行する命令に従って行われる。
【００９０】
まず、原稿トレイ２１に原稿が載置されることにより、ＡＤＦ２Ａに原稿がセットされる（Ｓ４１）。操作部９のスタートキーが押下されたか否か等に基づいて、原稿の読み取り開始命令があったと判断した場合（Ｓ４２）、原稿をＡＤＦ２Ａにより搬送し、ＲＦリーダ８Ａを動作させ、搬送路２２を搬送される原稿からＲＦＩＤタグを検出する（Ｓ４３）。ＲＦＩＤタグが検出されなかった場合（Ｓ４３：ＮＯ）、既存読取モードにて搬送される原稿の画像を読取位置Ｐにて読み取る（Ｓ４４）。そして、既存処理設定にて原稿の画像を読み取って得た画像データの処理を行い（Ｓ４５）、終了する。
【００９１】
一方、ＲＦＩＤタグを検出した場合（Ｓ４３：ＹＥＳ）、ＲＦリーダ８ＡによりＲＦＩＤタグの記憶部に書き込まれた情報を読み出し（Ｓ４６）、読み出した情報に読取禁止情報が含まれているか否かを判断する（Ｓ４７）。読取禁止情報が含まれていると判断した場合（Ｓ４７：ＹＥＳ）、画像の読み取りを行わずに、原稿が読取禁止である旨を報知し（Ｓ４８）、終了する。具体的には、ＬＣＤ１０ａに「この原稿は読み取りが禁止されています」など、原稿の画像を読み取ることが禁止されていることを通知するためのメッセージを表示する。また、上記のメッセージと同様の音声メッセージをスピーカ１０ｂから鳴動させてもよい。なお、読み出した情報に複写禁止情報が含まれている場合にも、読取禁止情報が含まれていた場合と同様の処理を行い、原稿が複写禁止である旨を報知する。
【００９２】
読み出した情報に読取禁止情報が含まれていないと判断した場合（Ｓ４８：ＮＯ）、次に、当該読み出した情報に読取モード情報が含まれているか否かを判断する（Ｓ４９）。読取モード情報が含まれていないと判断した場合（Ｓ４９：ＮＯ）、既存読取モードにて、搬送される原稿の画像を読取位置Ｐにて読み取る（Ｓ５０）。一方、読取モード情報が含まれていると判断した場合（Ｓ４９：ＹＥＳ）、読み出した読取モード情報が示す読取モードを既存読取モードに優先させた更新読取モードにて、搬送される原稿の画像を読取位置Ｐにて読み取る（Ｓ５１）。
【００９３】
そして、読み出した情報に処理設定情報が含まれているか否かを判断する（Ｓ５２）。処理設定情報が含まれていないと判断した場合（Ｓ５２：ＮＯ）、既存処理設定にて、画像データの処理を行い（Ｓ５３）、終了する。一方、処理設定情報が含まれていると判断した場合（Ｓ５２：ＹＳＥ）、読み出した処理設定情報が示す処理設定を既存処理設定に優先させた更新処理設定にて画像データの処理を行い（Ｓ５４）、終了する。
【００９４】
以上説明したように、このＭＦＰ１００Ａによれば、原稿の画像読み取りを開始する前に、ＲＦリーダ８Ａが原稿に付設されたＲＦＩＤタグから情報を読み出すので、該情報に基づいて原稿に関する処理を確実に行うことが可能となる。
【００９５】
さらに、このＭＦＰ１００Ａによれば、ＲＦリーダ８Ａが原稿に付設されたＲＦＩＤタグから読取禁止情報を読み出した場合、原稿の画像読み取りを行わない。そのため、読み取りが禁止されている原稿の画像を誤って読み取ることを確実に防ぐことができるとともに、原稿の画像を読み取った画像データを得ることがない。
【００９６】
さらに、このＭＦＰ１００Ａによれば、ＲＦリーダ８Ａが原稿に付設されたＲＦＩＤタグから読取モード情報を読み出した場合、該読取モード情報が示す読取モードを優先させた更新読取モードにて当該原稿の画像を再度読み取る。そのため、誤った読取モードにて原稿の画像を読み取ることを確実に防ぐことができ、適切な読取モードにて原稿の画像を読み取ることが可能となる。
【００９７】
さらに、このＭＦＰ１００Ａによれば、ＲＦリーダ８Ａが原稿に付設されたＲＦＩＤタグから処理設定情報を読み出した場合、該処理設定情報が示す処理設定を優先させた更新処理設定にて読み取った画像データの処理を行う。そのため、誤った処理設定にて画像データの処理を行うことを確実に防ぐことができ、適切な処理設定にて画像データの処理を行うことが可能となる。
【００９８】
また、本実施の形態で示したＭＦＰ１００及びＭＦＰ１００Ａの構成は、本発明に係る画像読取装置の一態様にすぎず、本発明の要旨を逸脱しない範囲内で種々の変形実施が可能である。例えば、ＭＦＰ１００として、ＦＢＳ及びＡＤＦ２の何れにても原稿の画像を読み取ることができる場合の例を示したが、ＦＢＳのみ、又はＡＤＦ２のみにて原稿の画像を読み取るものであってもよい。また、原稿の画像をカラーで読み取ることが可能な場合、読取モードとしてカラー読取モードを設定することや、ＡＤＦ２及びＡＤＦ２Ａにて原稿の両面の画像を読み取ることが可能な場合、読取モードとして両面読取モードを設定することもできる。
【００９９】
また、ＭＦＰ１００Ａとして、ＣＣＤ読取ユニット３Ａが原稿の画像の読み取りを開始する前に、ＲＦリーダ８Ａが搬送される原稿のＲＦＩＤタグから情報を必ず読み出すことができる場合の例を示したが、ＣＣＤ読取ユニット３Ａが原稿の画像の読み取りを開始した後に、ＲＦリーダ８Ａが原稿のＲＦＩＤタグから情報を読み出す可能性があるものであってもよい。この場合、ＭＦＰ１００と同様に、適切な読取モードにて原稿の画像を読み取り直すために、当該原稿を原稿トレイ２１に載置することをユーザに促すものであることが好ましい。
【０１００】
さらに、本実施の形態では、画像読取装置をＭＦＰ１００及びＭＦＰ１００Ａとして実施した態様を説明したが、画像読取装置はＭＦＰ１００及びＭＦＰ１００Ａに限定されず、複写機、ファクシミリ機、スキャナ、及びこれらの複合機に適用可能である。
【図面の簡単な説明】
【０１０１】
【図１】本発明の第１の実施の形態に係るＭＦＰ１００の構成例を示したブロック図である。
【図２】ＭＦＰ１００の上部について説明するための概略断面図である。
【図３】ＦＢＳとして、プラテンガラス１０１ａに載置された原稿の画像を読み取る場合に、ＭＦＰ１００において行われる処理動作を示すフローチャートである。
【図４】ＦＢＳとして、プラテンガラス１０１ａに載置された原稿の画像を読み取る場合に、ＭＦＰ１００において行われる処理動作を示すフローチャートである。
【図５】ＡＤＦ２を用いて、原稿トレイ２１に載置された原稿の画像を読み取る場合、ＭＦＰ１００において行われる処理動作を示すフローチャートである。
【図６】ＡＤＦ２を用いて、原稿トレイ２１に載置された原稿の画像を読み取る場合、ＭＦＰ１００において行われる処理動作を示すフローチャートである。
【図７】本発明の第２の実施の形態に係るＭＦＰ１００Ａの構成例を示したブロック図である。
【図８】ＭＦＰ１００Ａの上部について説明するための概略断面図である。
【図９】原稿トレイ２１に載置された原稿の画像を読み取る場合、ＭＦＰ１００Ａにおいて行われる処理動作を示すフローチャートである。
【図１０】原稿トレイ２１に載置された原稿の画像を読み取る場合、ＭＦＰ１００Ａにおいて行われる処理動作を示すフローチャートである。
【符号の説明】
【０１０２】
１  制御部
２、２Ａ  ＡＤＦ（自動原稿搬送手段）
３、３Ａ  ＣＣＤ読取ユニット（読取手段）
４  画像処理部（読取手段）
７  記録部（画像データ処理手段）
８、８Ａ  ＲＦリーダ（読出手段）
９  操作部（読取モード設定手段、事前読出不要設定手段、処理設定手段）
１０  報知部（報知手段）
１２  ＲＡＭ（読取モード設定手段、事前読出不要設定手段、処理設定手段）
１３  モデム（画像データ処理手段）
１４  ＮＣＵ（画像データ処理手段）
２１  原稿トレイ
２２  搬送路
３５  走査キャリッジ
１００、１００Ａ  ＭＦＰ（画像読取装置）
１０１ａ  プラテンガラス（原稿載置板）
１０１ｂ  プラテンガラス
Ｐ  読取位置
【図１】
2007300524.tif 000003
【図２】
2007300524.tif 000004
【図３】
2007300524.tif 000005
【図４】
2007300524.tif 000006
【図５】
2007300524.tif 000007
【図６】
2007300524.tif 000008
【図７】
2007300524.tif 000009
【図８】
2007300524.tif 000010
【図９】
2007300524.tif 000011
【図１０】
2007300524.tif 000012